(57)【要約】【課題】ユーザによる駐車場選択を容易なものとすることが可能な情報配信システム、車載器を提供する。【解決手段】コンテンツを配信するセンター装置と、センター装置から配信されたコンテンツを受信する受信手段及び前記受信手段により受信されたコンテンツを表示する表示手段を備えた車載器と、を含む情報配信システムであって、前記センター装置は、全国の駐車場の情報を一元的に管理する駐車場データベースから駐車場情報を取得する情報取得手段と、前記情報取得手段により取得された駐車場情報及び当該駐車場情報に含まれる駐車場固有の付加情報に基づいて前記車載器に配信するコンテンツを作成するコンテンツ作成手段と、を備える。【選択図】図１０
2010152786.tif 000002
【特許請求の範囲】
【請求項１】
コンテンツを配信するセンター装置と、センター装置から配信されたコンテンツを受信する受信手段及び前記受信手段により受信されたコンテンツを表示する表示手段を備えた車載器と、を含む情報配信システムであって、
前記センター装置は、
全国の駐車場の情報を一元的に管理する駐車場データベースから駐車場情報を取得する情報取得手段と、
前記情報取得手段により取得された駐車場情報及び当該駐車場情報に含まれる駐車場固有の付加情報に基づいて前記車載器に配信するコンテンツを作成するコンテンツ作成手段と、
を備えることを特徴とする情報配信システム。
【請求項２】
前記付加情報は、割引情報であり、
前記情報取得手段は、
前記割引情報を管理する割引情報データベースから当該割引情報を取得することを特徴とする請求項１に記載の情報配信システム。
【請求項３】
全国の駐車場の情報を一元的に管理する駐車場データベースから駐車場情報を取得する情報取得手段と前記情報取得手段により取得された駐車場情報及び当該駐車場情報に含まれる駐車場固有の付加情報に基づいて配信するコンテンツを作成するコンテンツ作成手段とを備えたセンター装置から配信された前記コンテンツを受信する受信手段と、
前記受信手段により受信されたコンテンツを表示する表示手段と、を備え、
前記表示手段は、前記付加情報の有無に基づいて表示を切り替えることを特徴とする車載器。
【請求項４】
全国の駐車場の情報を一元的に管理する駐車場データベースから駐車場情報を取得する情報取得手段と前記情報取得手段により取得された駐車場情報及び当該駐車場情報に含まれる駐車場固有の付加情報に基づいて配信するコンテンツを作成するコンテンツ作成手段とを備えたセンター装置から配信された前記コンテンツを受信する受信手段と、
前記受信手段により受信されたコンテンツを表示する表示手段と、を備え、
前記表示手段は、同一駐車場に複数の前記付加情報が存在する場合に、前記付加情報に基づいて表示を切り替えることを特徴とする車載器。
【請求項５】
全国の駐車場の情報を一元的に管理する駐車場データベースから駐車場情報を取得する情報取得手段と前記情報取得手段により取得された駐車場情報及び当該駐車場情報に含まれる駐車場固有の付加情報に基づいて配信するコンテンツを作成するコンテンツ作成手段とを備えたセンター装置から配信された前記コンテンツを受信する受信手段と、
前記受信手段により受信されたコンテンツを表示する表示手段と、を備え、
前記表示手段は、前記付加情報の有無に基づいて表示を切り替え、又、同一駐車場に複数の前記付加情報が存在する場合に、前記付加情報に基づいて表示を切り替えることを特徴とする車載器。
【請求項６】
前記付加情報は、割引情報であることを特徴とする請求項３から５のいずれか一項に記載の車載器。
【発明の詳細な説明】
【技術分野】
【０００１】
本発明は、情報配信システム、車載器に関する。
【背景技術】
【０００２】
従来、ナビゲーション装置のような車載器では、ＤＳＲＣ（Dedicated Short Range Communication：狭域通信）を利用して路上や駐車場等に設置された路側無線装置と無線通信を行い、当該路側無線装置を介してセンター装置から自車の周辺にある施設（例えば、店舗や医療機関等）に関するコンテンツ情報の提供を受けることが可能となっている。車載器においては、路側無線装置から受信した情報をメモリに格納し、路側無線装置と通信できない環境においても、コンテンツ情報を再生できるようにしている。また、携帯電話等の広域通信網に接続できる通信手段を用いてインターネットと接続し、交通情報の受信や電子メールのやりとりを行ったり、Ｗｅｂブラウザで各種Ｗｅｂページを参照したりすることが可能なものもある（例えば、特許文献１）。
【０００３】
提供されるコンテンツの一例として、駐車場情報が挙げられる。駐車場情報を提供し的確な駐車場案内を行うことにより渋滞や混雑を緩和すべく、国交省では、日本全国の駐車場情報（緯度経度、名称、収容台数、営業時間、決済手段、満空情報、料金など）を一元的に管理する駐車場データベース構築を検討している。
国交省が策定した「駐車場情報に関するデータベース標準（案）」では、静的情報、動的情報、更新情報に分類された駐車場情報及び駐車場の満空情報を扱っている。静的情報とは、駐車場の位置や名称など時間によって変化しない情報のことである。一方、動的情報とは、満空情報など時間によって変化する情報のことである。静的情報が存在しない駐車場の動的情報は、駐車場の位置を特定できないため車載器で表示することはできない。
【特許文献１】特開２００５−３４５３２５号公報
【発明の開示】
【発明が解決しようとする課題】
【０００４】
ユーザに駐車場情報が提供されたときの駐車場選択の基準として、駐車場までの距離や駐車料金などが考えられる。距離や料金に明らかな差がある場合や要求に沿った駐車場の数が限られている場合は、ユーザは駐車場の選択に迷うことはない。しかしながら、要求に沿う駐車場が多数あり、かつ距離や料金にあまり違いがないような場合に、受信したすべての情報を比較して駐車場を選択させる方法は効率的でない。
また、駐車場データベースの情報を受信するには車載器も駐車場データベースの仕様に対応している必要があるが、すべての車載器がデータベースに対応している保障はない。
【０００５】
本発明は、ユーザによる駐車場選択を容易なものとすることが可能な情報配信システム、車載器を提供することを目的とする。
【課題を解決するための手段】
【０００６】
請求項１に記載の発明は、上記目的を達成するためになされたものであり、コンテンツを配信するセンター装置と、センター装置から配信されたコンテンツを受信する受信手段及び前記受信手段により受信されたコンテンツを表示する表示手段を備えた車載器と、を含む情報配信システムであって、前記センター装置は、全国の駐車場の情報を一元的に管理する駐車場データベースから駐車場情報を取得する情報取得手段と、前記情報取得手段により取得された駐車場情報及び当該駐車場情報に含まれる駐車場固有の付加情報に基づいて前記車載器に配信するコンテンツを作成するコンテンツ作成手段と、を備えることを特徴とする。
【０００７】
請求項２に記載の発明は、請求項１に記載の情報配信システムにおいて、前記付加情報は、割引情報であり、前記情報取得手段は、前記割引情報を管理する割引情報データベースから当該割引情報を取得することを特徴とする。
【０００８】
請求項３に記載の発明は、車載器において、全国の駐車場の情報を一元的に管理する駐車場データベースから駐車場情報を取得する情報取得手段と前記情報取得手段により取得された駐車場情報及び当該駐車場情報に含まれる駐車場固有の付加情報に基づいて配信するコンテンツを作成するコンテンツ作成手段とを備えたセンター装置から配信された前記コンテンツを受信する受信手段と、前記受信手段により受信されたコンテンツを表示する表示手段と、を備え、前記表示手段は、前記付加情報の有無に基づいて表示を切り替えることを特徴とする。
【０００９】
請求項４に記載の発明は、車載器において、全国の駐車場の情報を一元的に管理する駐車場データベースから駐車場情報を取得する情報取得手段と前記情報取得手段により取得された駐車場情報及び当該駐車場情報に含まれる駐車場固有の付加情報に基づいて配信するコンテンツを作成するコンテンツ作成手段とを備えたセンター装置から配信された前記コンテンツを受信する受信手段と、前記受信手段により受信されたコンテンツを表示する表示手段と、を備え、前記表示手段は、同一駐車場に複数の前記付加情報が存在する場合に、前記付加情報に基づいて表示を切り替えることを特徴とする。
【００１０】
請求項５に記載の発明は、車載器において、全国の駐車場の情報を一元的に管理する駐車場データベースから駐車場情報を取得する情報取得手段と前記情報取得手段により取得された駐車場情報及び当該駐車場情報に含まれる駐車場固有の付加情報に基づいて配信するコンテンツを作成するコンテンツ作成手段とを備えたセンター装置から配信された前記コンテンツを受信する受信手段と、前記受信手段により受信されたコンテンツを表示する表示手段と、を備え、前記表示手段は、前記付加情報の有無に基づいて表示を切り替え、又、同一駐車場に複数の前記付加情報が存在する場合に、前記付加情報に基づいて表示を切り替えることを特徴とする。
【００１１】
請求項６に記載の発明は、請求項３から５のいずれか一項に記載の車載器において、前記付加情報は、割引情報であることを特徴とする。
【発明の効果】
【００１２】
本発明によれば、ユーザによる駐車場選択を容易なものとすることが可能な情報配信システム、車載器を提供することができる。
【発明を実施するための最良の形態】
【００１３】
以下、本発明の実施の形態を図面に基づいて説明する。
【００１４】
図１は、本実施形態における情報配信システム１００について示した図である。なお、情報配信システム１００は、センター装置３０から車両Ｃに搭載された車載器１０にコンテンツ情報を配信するシステムである。
図１に示すように、センター装置３０は、ＤＳＲＣ専用のネットワークＮ１を介して路上や駐車場、道の駅等に複数設置された路側無線装置２０Ａ、２０Ｂと接続されている。各路側無線装置２０Ａ、２０Ｂは、ＤＳＲＣ通信機能を備えた車載器１０と無線通信可能に構成され、車載器１０と通信が確立すると、その旨をセンター装置３０に通知し、センター装置３０からコンテンツ情報を受信して車載器１０に送信する。路側無線装置２０Ａは、ＤＳＲＣ専用の独自プロトコルにより車載器１０及びセンター装置３０と通信（ＤＳＲＣ非ＩＰ通信という）を行う。路側無線装置２０Ｂは、インターネットプロトコル（ＩＰ）により車載器１０及びセンター装置３０と通信（ＤＳＲＣＩＰ通信という）を行う。
また、センター装置３０は、外部ネットワークＮ２、Ｎ３に接続されている。外部ネットワークＮ２、Ｎ３は、インターネット、及びこれに接続された移動体通信網、無線ＬＡＮ（Local Area Network）、ＷｉＭＡＸ（Worldwide Interoperability for Microwave Access）等の無線通信網を含んでおり、センター装置３０は、外部ネットワークＮ２、Ｎ３を介して車載器１０からのコンテンツ情報の取得要求を受信すると、要求されたコンテンツ情報を車載器１０に送信する。
【００１５】
ここで、センター装置３０が路側無線装置２０Ａを介して車載器１０に提供するコンテンツ情報は、例えば、車両Ｃ周辺の店舗、駐車場、医療施設等の各種施設のサービス案内である。また、センター装置３０が外部ネットワークＮ２、Ｎ３を介して、若しくは路側無線装置２０Ｂを介して車載器１０に提供するコンテンツ情報は、車載器１０でＷｅｂページを表示するためのＨＴＭＬファイルや、Ｗｅｂページを介して提供される画像情報、音楽情報等のマルチメディアコンテンツ等である。
【００１６】
また、センター装置３０は、ユーザ（車載器１０）のエリアインを感知すると、駐車場データベース４０Ａにアクセスしてサービス範囲内の駐車場の静的情報及び動的情報のうち該当する情報を取得する。さらに、別途準備した割引情報データベース４０Ｂを検索し、該当駐車場のうち割引情報があるものに関してはその情報を取得する。そして、取得した情報から割引情報を考慮しない場合と割引情報を考慮した場合の二通りのコンテンツを作成して、車載器１０に配信する。
【００１７】
図２は、路側無線装置２０Ａ、２０Ｂ及び路側エリアＺについて示した図である。
図２に示すように、路側無線装置２０Ａ、２０Ｂは、本体装置２１とアンテナ２２とから構成されている。路側無線装置２０Ａ、２０Ｂは、道路脇や道路上方、駐車場、道の駅等に設置されたアンテナ２２から、到達距離が限定されたＤＳＲＣの電波を放射して、近傍に路側エリアＺを形成する。この路側エリアＺ内にある車両Ｃの車載器１０とだけ双方向狭域無線通信が可能となる。以下、路側無線装置２０Ａ、２０Ｂと車載器１０間の狭域無線通信を路車間通信という場合がある。
【００１８】
ＤＳＲＣは５．８GHz帯域の電波を使った通信方式であり、その通信範囲は例えば数メートルから数十メートルである。路側無線装置２０Ａ、２０ＢからのＤＳＲＣの送信出力は何れも同じ程度に設定されているので、複数の路側無線装置２０Ａ、２０Ｂがそれぞれ形成する路側エリアＺは設置場所に関係なく、ほぼ一定である。
【００１９】
本体装置２１は、車載器１０とセンター装置３０間の情報のやりとりを仲介するための処理を行う。すなわち、アンテナ２２を介して車載器１０から受信された情報をセンター装置３０に転送し、センター装置３０から送信されたコンテンツ情報を車載器１０に転送する。本体装置２１は、情報処理や通信制御を行う制御部、記憶部等を備えたコンピュータ端末を適用することができる。
【００２０】
路側無線装置２０Ａの本体装置２１の制御部は、ＤＳＲＣ専用のプロトコルにより車載器１０との通信制御を行う。また、路側無線装置２０Ｂの本体装置２１の制御部は、ＤＳＲＣ専用のプロトコル及びインターネットプロトコルにより車載器１０との通信制御を行う。
【００２１】
図３は、車載器１０の一構成例を示すブロック図である。車載器１０は、車両Ｃに搭載され、案内経路への誘導のための処理等を行うナビゲーション機能の他、ＤＳＲＣによるＥＴＣ（Electronic Toll Collection System）利用のための処理を行う機能等を有している。
図３に示すように、車載器１０は、カーナビ部１、ＶＩＣＳ（Vehicle Information and Communication System）モジュール２、ＤＳＲＣ部３、制御部４、無線通信部５を備えて構成されている。
【００２２】
カーナビ部１は、カーナビ制御部１ａ、現在地検出部１ｂ、地図記憶部１ｃ、操作部１ｄ、表示部１ｅ、記憶部１ｆ、音声出力部１ｇ等を備え、車両Ｃを案内経路へ誘導するための処理を行う。
カーナビ制御部１ａは、現在地検出部１ｂから取得した現在地の情報及び地図記憶部１ｃに記憶された地図情報等に基づいて、車両Ｃの現在地から操作部１ｄを介して設定された目的地までの案内経路を算出する。そして、地図記憶部１ｃに記憶されている地図情報を用いて算出した案内経路へ誘導するための地図画面を生成し、表示部１ｅにより表示させる。
【００２３】
現在地検出部１ｂは、ＧＰＳ（Global Positioning System）アンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行って、車両Ｃの絶対方位を検出する。現在地検出部１ｂは、これらセンサから取得した各検出結果に基づいて車両Ｃの現在地を示す現在地情報（経度、緯度等の情報）を生成し、カーナビ制御部１ａに出力する。
【００２４】
地図記憶部１ｃは、メモリやＤＶＤ等の記録媒体から構成され、案内表示に必要な地図情報、駐車場情報、ＶＩＣＳモジュール２を介して受信されるガイド情報（道路情報、渋滞情報等）等を記憶している。
地図情報は、表示用の地図画像、経路探索用の情報、施設や公園等の地点の情報等を含んでいる。地点の情報とは、例えば地点の名称、緯度経度、住所、電話番号等である。
【００２５】
駐車場情報は、予め登録された駐車場に関する情報を含んでおり、静的情報と、動的情報と、から構成されている。
静的情報は、例えば、図４に示すようなフォーマットから構成されており、各駐車場に個々に割り振られたＩＤ（以下、駐車場ＩＤ）、駐車場の位置する緯度経度情報（以下、駐車場中心座標）、駐車場の入口、名称、収容台数、形式、車両制限（車幅や車高、重量等の各種制限）、営業時間、提携店舗、設備状況（身障者スペース、バリアフリー、女性専用スペース等の有無）、料金の決済手段、予約対応等の各種情報を含んでいる。
また、動的情報は、例えば、図５に示すようなフォーマットから構成されており、最新駐車場情報有無フラグや駐車場満空情報の数（最大１５ヶ所）の他、駐車場ごとに、駐車場ＩＤ、開いている入口、営業時間や料金等の各種設定、入口別の満空情報（混雑状況や空き台数等を示す駐車状況情報）、情報更新時刻等の各種情報、さらにその他の情報として、情報バイト数や文字データ等を含んでいる。
【００２６】
操作部１ｄは、操作キーや表示部１ｅと一体に構成されるタッチパネル等から構成されている。操作部１ｄは、これらの操作に対応する操作信号を生成し、制御部４に出力する。
表示部１ｅは、モニタを備え、制御部４の制御に従ってモニタ上に各種情報を表示する。例えば、設定画面や地図画面、センター装置３０から受信したコンテンツ情報の表示画面等である。
【００２７】
記憶部１ｆは、不揮発性メモリやＨＤＤ（Hard Disk Drive）等から構成され、制御部４やカーナビ制御部１ａにより実行される制御プログラム、プログラムの実行に必要なパラメータやデータ等を記憶している。記憶部１ｆに記憶されるプログラムは、例えば、制御部４において、後述する駐車場情報選択処理（図１１）を実行するためのプログラム、Ｗｅｂブラウザとしての機能を実行するためのプログラム等が含まれる。
また、記憶部１ｆは、センター装置３０から送信されたコンテンツ情報やセンター装置３０に送信するアップリンク情報Ｕ、ナビＰＯＩ（Point Of Interest）データ、そして車両情報等を記憶している。車両情報は車両Ｃに関する情報であり、例えば車両Ｃの車幅、車高、重量、排気量等である。
【００２８】
音声出力部１ｇは、音声処理部、Ｄ／Ａ変換器、増幅器、スピーカ等を備えて構成される。音声出力部１ｇは、制御部４から指示された音声データをＤ／Ａ変換器によりアナログ信号に変換してスピーカにより音声出力する。また、音声出力部１ｇは、制御部４から指示された表音文字列データに基づいて音声処理部により合成音声信号を生成し、スピーカにより音声出力する。
【００２９】
ＶＩＣＳモジュール２は、光通信用、ＦＭ通信用、２．４GHz電波通信用のアンテナをそれぞれ備え、ＶＩＣＳセンターと光通信、ＦＭ通信、電波通信を行う。ＶＩＣＳモジュール２はＶＩＣＳセンターから渋滞情報や道路交通情報等を受信し、制御部４に出力する。
【００３０】
ＤＳＲＣ部３は、ＤＳＲＣ制御部３ａ、ＤＳＲＣ通信部３ｂ、記憶部３ｃ、ＥＴＣ／ＤＳＲＣ処理部３ｄ、ＩＣカードＩ／Ｆ部３ｅを備え、ＤＳＲＣによるＥＴＣ利用のための処理や、センター装置３０からコンテンツ情報を受信するための通信処理等を行う。
【００３１】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＤＳＲＣ通信部３ｂを介して路側無線装置２０ＡとＤＳＲＣ非ＩＰ通信を行うための制御を行うとともに、ＤＳＲＣ通信部３ｂを介して路側無線装置２０ＢとＤＳＲＣＩＰ通信を行うための制御を行う。センター装置３０からコンテンツ情報を受信する際には、制御部４の指示に従って記憶部３ｃのアップリンク情報記憶領域Ｍに記憶されている情報を、ＤＳＲＣ通信部３ｂにより路側無線装置２０Ａ、２０Ｂに送信させる。また、ＤＳＲＣ通信部３ｂを介してセンター装置３０からコンテンツ情報を受信した場合には、これを制御部４に出力する。
また、例えば、ＥＴＣによる決済を行う際には、ＤＳＲＣ通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ／ＤＳＲＣ処理部３ｄにより決済情報の書込処理を行わせる。
【００３２】
ＤＳＲＣ通信部３ｂは、車両Ｃのダッシュボード上でフロントガラス近傍に固設されたアンテナを備え、このアンテナを介して路側無線装置２０Ａ、２０ＢやＥＴＣ基地局等と、ＤＳＲＣの電波の送受信を行う。
【００３３】
記憶部３ｃは、ＤＳＲＣ制御部３ａにより実行される制御プログラム等を記憶している。
また、記憶部３ｃにはアップリンク情報記憶領域Ｍが設けられている。アップリンク情報記憶領域Ｍは、センター装置３０に情報を提供するために専用に設けられた記憶領域であり、アップリンク情報の他、車載器１０の特性情報が記憶される。
【００３４】
特性情報とは、車載器１０の機器特性に関する情報をいう。特性情報には、車載器１０に個々に割り振られたＩＤ（以下、車載器ＩＤという）、車載器１０が対応できる言語、地図の測地系、著作権管理技術、表示部１ｅのモニタの解像度、ＳＶＧ（Scalable Vector Graphics）の対応性、コンテンツ情報を蓄積可能な記憶容量等の情報が含まれる。
【００３５】
アップリンク情報とは、センター装置３０において配信するコンテンツ情報を選択するために用いる情報である。本実施形態におけるアップリンク情報の送信方法には、車載器１０が路側無線装置２０Ａを介してセンター装置３０に送信する方法、及び車載器１０が外部ネットワークＮ２、Ｎ３を介して、若しくは路側無線装置２０Ｂを介してセンター装置３０に送信する方法がある。
【００３６】
路側無線装置２０Ａを介して送信されるアップリンク情報には、ユーザがコンテンツ情報の配信について契約をしたサービス事業者の特定情報、車両Ｃの目的地情報、経由地情報、累計走行距離情報、過去の立ち寄り地情報、ユーザの嗜好データ、受信再生履歴情報等が含まれる。アップリンク情報は、制御部４によってサービス事業者に応じた内容でサービス事業者毎に生成され、最新の内容となるように制御部４が常に更新を行っている。
【００３７】
サービス事業者の特定情報は、ユーザが予めコンテンツ情報の配信について契約したサービス事業者を特定する情報であり、例えば事業者コード、事業者名等である。
車両Ｃの目的地情報は、カーナビ部１で設定された目的地の緯度、経度の情報であり、経由地情報はカーナビ部１で設定された目的地までの誘導経路において経由する地点の緯度、経度の情報である。また、累計走行距離情報はＤＳＲＣ部３のセットアップ（起動）時点から現在までの車両Ｃの累計走行距離の情報であり、過去の立ち寄り地情報は過去に車両Ｃが停車した（つまり車載器１０の電源がＯＮ又はＯＦＦされた）地点の緯度、経度の情報及び時刻情報である。
【００３８】
嗜好データは、センター装置３０においてユーザの嗜好に応じたコンテンツ情報を選択するのに用いる情報である。嗜好データは、コンテンツ情報を分類する複数のカテゴリ毎にユーザが好むか好まないかを示す情報を含む。このカテゴリは、「暮らし」、「買い物」等のようにコンテンツ情報の分類を示すものであり、サービス事業者が任意に設定できるものである。
【００３９】
受信再生履歴情報は、センター装置３０から配信されたコンテンツ情報に付与されている情報コード及びその再生の履歴の情報である。履歴の情報は、受信したコンテンツ情報のうち、実際に表示部１ｅに表示される等して再生されたコンテンツ情報の情報コードがあり、再生時の緯度経度情報や時刻情報等が含まれることもある。
【００４０】
一方、外部ネットワークＮ２、Ｎ３、若しくは路側無線装置２０Ｂを介して送信されるアップリンク情報Ｕは、例えば、図６に示すようなフォーマットから構成されており、満空情報を受け取るサービス会員であることを識別するための「会員情報」、検索位置を示す「検索位置情報」、「メッシュコード情報」、最新情報の要不要を示す「情報更新リクエスト」、一括更新を行うか差分更新を行うかを判断するための「最新情報形態フラグ」、その他種々の「検索条件項目」等を含んでいる。当該「検索条件項目」には、例えば、検索条件の有無を示す「検索条件有無フラグ」、駐車場ＩＤを指定（同時に７つまで）して検索処理を行わせるための「ＩＤ指定検索」、「開始時間」、「終了時間」、「車両情報」、「検索条件」等が含まれる。
【００４１】
センター装置３０は、アップリンク情報Ｕの「検索位置情報」、「メッシュコード情報」、「情報更新リクエスト」、「最新情報形態フラグ」に基づいて、「検索位置情報」に示された検索位置から所定距離内にある駐車場のうち、満車でない駐車場を所定件数送信する。また、アップリンク情報Ｕに「車両情報」や「検索条件」が設定されている場合は、検索位置から所定距離内にある駐車場で、かつ「車両情報」や「検索条件」に合致する、満車でない駐車場を所定件数送信する。
一方、上記検索条件の「ＩＤ指定検索」に駐車場ＩＤが指定されている場合は、駐車場が満車であるか否かに関わらず、指定された駐車場ＩＤが示す駐車場の駐車場状況を送信する。
なお、当該アップリンク情報Ｕは、路側無線装置２０Ａを介して送信することも可能である。
【００４２】
ＥＴＣ／ＤＳＲＣ処理部３ｄは、ＩＣカードＩ／Ｆ部３ｅに挿抜されるＩＣ付きクレジットカード又はＥＴＣカードに対して決済情報等の読み書きを行う。
ＩＣカードＩ／Ｆ部３ｅは、上記クレジットカード等のスロットを備え、このスロットに挿入されたクレジットカード等のＩＣとＥＴＣ／ＤＳＲＣ処理部３ｄの間で情報のやりとりを仲介する。
【００４３】
制御部４は、ＣＰＵ（Central Processing Unit）、ＲＡＭ（Random Access Memory）等から構成され、記憶部１ｆに記憶された制御プログラムとの協働により各種演算を行う他、各部の集中制御を行う。
例えば、路側無線装置２０Ａ、２０Ｂとの路車間通信を行う際にはＤＳＲＣ部３の通信動作を制御する。なお、ＤＳＲＣ部３の制御にあたっては、ＤＳＲＣ部３のＤＳＲＣ制御部３ａとの協働により制御を行う。また、ＤＳＲＣ部３を介してセンター装置３０から受信したコンテンツ情報の保存、再生制御等を行う。
【００４４】
無線通信部５は、移動体通信網（ＰＤＣ／ＣＤＭＡ／ＰＨＳ／ＧＳＭ・ＧＰＲＳ等）、無線ＬＡＮ（ＩＥＥＥ８０２．１１ａ／ｂ／ｇ／ｎ等）、ＷｉＭＡＸ（ＩＥＥＥ８０２．１６ａ／ｅ／ｈ等）等の各種の無線通信網の無線通信アクセスポイント２０ｃと無線通信を行い、無線通信アクセスポイント２０ｃを介して車載器１０が外部ネットワークＮ２、Ｎ３に接続されたセンター装置３０を始めとする外部機器にアクセスし、データ送受信を行うための通信制御を行う。例えば、車載器１０からセンター装置３０に送信されるデータには、アップリンク情報Ｕ等がある。無線通信部５としては、例えば、無線ＬＡＮカード、ＷｉＭＡＸ用の通信カード、及びこれらを装填するためのスロットや、携帯電話機及び携帯電話機を車載器１０に接続するためのＵＳＢ（Universal Serial Bus）等の通信インタフェース等の通信デバイスが含まれる。無線通信部５は、受信した情報を制御部４に出力する。
【００４５】
図７は、センター装置３０の一構成例を示すブロック図である。センター装置３０は、コンテンツ情報を記憶し、これを車載器１０に配信する。なお、図１では１台のセンター装置３０のみ示したが、コンテンツ情報を配信するサービス事業者を複数設定し、センター装置３０はサービス事業者毎に備えられるようにしてもよい。
図７に示すように、センター装置３０は、制御部３１、操作部３２、表示部３３、記憶部３４、通信部３５を備えて構成されている。
【００４６】
制御部３１は、ＣＰＵ、ＲＡＭ等から構成され、記憶部３４に記憶された制御プログラムとの協働により各種演算を行う他、各部の集中制御を行う。
例えば、制御部３１は、第１の通信部３５１により路側無線装置２０Ａから車載器１０と通信が確立したことが通知されると、記憶部３４からコンテンツ情報を読み出して、第１の通信部３５１を介して路側無線装置２０Ａに送信する。また、制御部３１は、車載器１０から送信されたアップリンク情報Ｕを受信すると、当該アップリンク情報に基づいて満空情報等を車載器１０に送信させる。
【００４７】
また、制御部３１は、Ｗｅｂサーバとしての機能を有し、第１の通信部３５１により路側無線装置２０Ｂを介して車載器１０から指定されたＵＲＬ（Uniform Resource Locator）に格納された情報の取得要求が受信されると、車載器１０により指定されたＵＲＬに対応する領域に格納されたコンテンツ情報を読み出し、第１の通信部３５１により路側無線装置２０Ｂを介して車載器１０に送信する等、車載器１０からの要求に応じた処理を実行する。また、制御部３１は、第２の通信部３５２により外部ネットワークＮ２、Ｎ３を介して車載器１０から指定されたＵＲＬに格納された情報の取得要求が受信されると、車載器１０により指定されたＵＲＬに対応する領域に格納されたコンテンツ情報を読み出し、第２の通信部３５２により外部ネットワークＮ２、Ｎ３を介して車載器１０に送信する等、車載器１０からの要求に応じた処理を実行する。
【００４８】
なお、制御部３１は、路側無線装置２０Ａを介して車載器１０にコンテンツ情報を送信する際には、路側無線装置２０Ａの配置されているエリアに応じた情報を抽出して配信する。また、制御部３１は、各車載器１０のユーザが嗜好するカテゴリの情報（嗜好データ）を予め取得しておき、情報の送信先となる車載器１０の嗜好データに応じた情報を抽出して配信するようにすることが好ましい。
【００４９】
操作部３２は、キーボード等を備えて操作入力を受け付け、当該操作入力に応じた操作信号を制御部３１に出力する。
表示部３３はディスプレイを備え、制御部３１の表示制御に従ってディスプレイ上に各種画面を表示する。
【００５０】
記憶部３４は、ＨＤＤ等により構成される。記憶部３４は、制御部３１により実行されるプログラムの他、プログラムの実行に必要な各種データを記憶する。
また、記憶部３４は、センター装置３０において予め登録されている各駐車場についての満空情報を記憶している。なお、本実施形態において、満空情報とは駐車場の混雑に関する情報であり、満車、混雑、空車の状況等を示す情報をいう。具体的には、各駐車場ＩＤに対応付けて混雑状況、空き台数、更新時刻等の情報を記憶している。満空情報は、できるだけ現状に近い情報を提供できるように、一定時間（例えば５分）毎に制御部３１により更新されるものとする。
さらに、ユーザはコンテンツ情報の配信サービスに加入する契約を行う際、会員登録を行うので、記憶部３４はこの会員登録されたユーザの氏名、住所等の特定情報を記憶する他、ユーザが所有する車載器１０の車載器ＩＤ、ユーザの嗜好データ等の情報をユーザ毎にデータベース化して記憶する。
また、記憶部３４は、コンテンツ情報（後述する図８に詳述）を記憶する。
【００５１】
通信部３５は、第１の通信部３５１と第２の通信部３５２により構成される。第１の通信部３５１は、センター装置３０がネットワークＮ１に接続された路側無線装置２０Ａ、２０Ｂとデータ送受信を行うための通信制御を行う。第２の通信部３５２は、センター装置３０が外部ネットワークＮ２、Ｎ３に接続された車載器１０を始めとする外部機器とデータ送受信を行うための通信制御を行う。
【００５２】
図８は、コンテンツ情報のフォーマットの一例について示した図である。また、図９は、コンテンツ情報に含まれる対象地点情報について詳述した図である。
図８に示すように、コンテンツ情報には、個々にＩＤが付された情報、例えば構成ＩＤ情報、サービス事業者情報、情報提供企業情報、再生条件、有効期限、提供時間、対象地点情報、遷移情報等が含まれている。
【００５３】
ＩＤ＝００の「構成ＩＤ情報」は、コンテンツ情報内に含まれる情報のＩＤの一覧を表す情報である。ＩＤ＝００の構成ＩＤを参照することによりコンテンツ情報内にどの情報が含まれているかを判断することができる。
ＩＤ＝０１の「サービス事業者情報」は、当該コンテンツを配信するサービス事業者を特定するための情報であり、例えば、コンテンツを提供するサービス事業者の「サービス事業者コード」、「サービス事業者表示テキスト」等が含まれる。
ＩＤ＝０２の「情報提供企業情報」は、当該コンテンツの属性を示す情報であり、例えば、コンテンツを提供する情報提供企業の「企業コード」、「企業表示テキスト」、コンテンツを特定するための「情報コード」、コンテンツの内容を示す「情報表示テキスト」、コンテンツのカテゴリを示す「嗜好データカテゴリ」等が含まれる。
【００５４】
ＩＤ＝０３の「再生条件」は、当該コンテンツの再生条件を示す情報であり、例えば、受信コンテンツを通信エリア外でも利用可能に蓄積するか即時再生させるかについて定めた「即時再生／蓄積コード」、情報提供地点到達時に案内等を行っていてコンテンツ再生不可能な場合の挙動について定めた「再生条件コード」等が含まれる。
ＩＤ＝０４の「有効期限」は、当該コンテンツの有効期限を示す情報であり、例えば、開始期限について定めた「開始年月日時分秒」、終了期限について定めた「終了年月日時分秒」等が含まれる。
ＩＤ＝０５の「提供時間」は、当該コンテンツの提供時間を示す情報であり、例えば、コンテンツ提供元の「営業時間」、コンテンツを提供する「情報提供時間」等が含まれる。
【００５５】
ＩＤ＝１０の「対象地点情報」は、当該コンテンツによるサービス対象となる対象地点に関する情報であり、例えば、「同一ＩＤ内情報量」、サービス対象地点の緯度経度を表す「対象地点座標」、対象地点名称を利用者に視覚的に通知するための「表示用文字データ」、「表示画像データ」、「対象地点発話用表音文字列」、「圧縮音声データ」、「ビデオデータ」、「ＵＲＬ情報」等が含まれる。
【００５６】
ＩＤ＝３０の「遷移情報」は、対象地点の表示画像を遷移させるために用いる情報であり、例えば、「次再生情報コード」等が含まれる。
【００５７】
コンテンツ情報は、上記各ＩＤの情報を含めて予め作成されたものが記憶部３４に保存され、配信時に、これらコンテンツ情報のうち、配信すべきコンテンツ情報が制御部３１により選択される。なお、各ＩＤの情報は、必要に応じてコンテンツ情報に含められるので、常に全てのＩＤの情報がコンテンツ情報に含まれているわけではない。
【００５８】
なお、コンテンツ配信サービスには、駐車場データベース４０Ａの情報をそのまま配信するフォーマットや、施設の付属情報として駐車場情報を付加するフォーマットが存在する。本実施形態では、車載器１０の駐車場データベースへの対応状況に関わらず、駐車場自体を一つの施設とみなしたコンテンツの作成を行う。
駐車場情報をコンテンツとして配信する場合、当該駐車場情報は「対象地点情報」に格納される。例えば、駐車場の名称や緯度経度は「対象地点座標」に、駐車料金等は「表示用文字データ」にそれぞれ格納されることとなる。
以下、車載器１０がエリアインした際に行われるコンテンツ配信の一連の処理の流れについて、図１０を用いて説明する。
【００５９】
図１０は、本実施形態に係るセンター装置３０内で行われるコンテンツ配信処理の一例について示したフローチャートである。
図１０に示すように、ステップＳ１０１では、駐車場データベース４０Ａから駐車場情報が取得される。取得される駐車場情報は、例えば、サービス範囲内の駐車場の静的情報及び動的情報である。
ステップＳ１０２では、割引情報データベース４０Ｂから割引情報が取得される。
ステップＳ１０３では、ステップＳ１０１で取得された駐車場情報及びステップＳ１０２で取得された割引情報から配信用コンテンツが作成される。ここで作成される配信用コンテンツには、割引情報を考慮したものと割引情報を考慮していないものの二つがある。
ステップＳ１０４では、ステップＳ１０３で作成されたコンテンツが配信される。
【００６０】
このように、センター装置３０は、全国の駐車場の情報を一元的に管理する駐車場データベースから駐車場情報を取得し、又駐車場の割引情報を管理する割引情報データベースから割引情報を取得し、取得された駐車場情報及び割引情報に基づいて車載器１０に配信するコンテンツを作成する。
駐車場データベースの情報をコンテンツに変換することで、車載器１０が駐車場データベースに対応しているか否かに関わらず、駐車場情報を取得することが可能となる。また、配信されるコンテンツに駐車場の割引情報を加えることで、ユーザによる駐車場選択の判断材料を与えることができる。
車載器１０が駐車場情報を受信した際に、当該駐車場情報が即時情報であった場合は、以下の駐車場情報選択処理が行われることとなる。
【００６１】
図１１は、本実施形態に係る車載器１０内で行われる駐車場情報選択処理の一例について示したフローチャートである。
図１１に示すように、ステップＳ２０１では、駐車場情報を受信した旨がユーザに通知される。ユーザへの通知方法は特に限定されない。例えば、図１２に示すように、表示部１ｅ上にポップアップ表示させる方法や、図１３に示すように、音声メッセージを発信させる方法等がある。
ステップＳ２０２では、ユーザから表示要求があるか否かが判定される。表示要求があった場合は、次のステップＳ２０３へと移行し、表示要求がなかった場合は、当該駐車場情報選択処理を終了する。
ステップＳ２０３では、受信した駐車場情報が表示される。その様子を図１４に示す。図１４に示したように、駐車場情報はリスト状（例えば駐車料金順）に表示部１ｅに表示される。
ステップＳ２０４では、「詳細」ボタンが押下されたか否かが判定される。「詳細」ボタンが押下された場合は、次のステップＳ２０５へと移行し、「詳細」ボタンが押下されなかった場合は、当該駐車場情報選択処理を終了する。
ステップＳ２０５では、詳細情報が表示される。その様子を図１５に示す。図１５に示したように、詳細情報は、駐車場名や営業時間、駐車料金、割引情報等を含む。また、割引情報がない駐車場情報における詳細情報を、図１６に示す。このように、本実施形態では、割引情報の有無に基づいて表示を切り替えることができる。
ステップＳ２０６では、「目的地」ボタンが押下されたか否かが判定される。「目的地」ボタンが押下された場合は、次のステップＳ２０７へと移行し、「目的地」ボタンが押下されなかった場合は、当該駐車場情報選択処理を終了する。
ステップＳ２０７では、「目的地」ボタンが押下された駐車場が目的地に設定される。
【００６２】
なお、図１４で示した画面上で「割引あり」ボタンを押下すると、図１７に示すように、割引情報を考慮した駐車場のリスト（例えば駐車料金順）が表示部１ｅに表示される。この際、駐車場によっては割引条件が複数存在することがある。その場合は同一駐車場でも割引条件ごとに項目を分けることで、駐車料金とその条件の違いをわかりやすくし、ユーザの希望に沿った駐車場情報を探しやすくする。なお、割引条件の異なる同一駐車場の詳細情報については、割引条件ごとに別の画面を用意してもよいし、共通の画面を使用してもよい。
【００６３】
このように、車載器１０は、受信されたコンテンツを表示することができる。また、車載器１０は、同一駐車場に複数の割引情報が存在する場合に、割引情報に基づいて表示を切り替えることができるので、割引料金とその条件をわかりやすくユーザに通知することができる。
【００６４】
以上、本発明に係る実施形態に基づいて具体的に説明したが、本発明は上記実施形態に限定されるものではなく、その要旨を逸脱しない範囲で変更可能である。
【００６５】
例えば、配信する駐車場情報については、満空状態に関わらずそのエリアの満空情報をすべて配信してもよいし、空きがある駐車場の情報のみを配信するようにしてもよい。また、車載器１０が保持している情報（アップリンク情報Ｕ）を取得し、その情報から配信する駐車場情報を絞り込むようにしてもよい。このとき車載器１０が保持している情報としては、現在設定されている目的地情報や嗜好データ、会員情報等が挙げられる。
【００６６】
また、上記実施形態では、配信されるコンテンツ（駐車場情報）に駐車場の割引情報を付加しているが、駐車場情報に付加する情報は割引情報に限らず、駐車場固有の付加情報であれば特に制限はない。
【００６７】
その他、車載器１０を構成する各装置の細部構成及び細部動作に関しても、本発明の趣旨を逸脱することのない範囲で適宜変更可能である。
【図面の簡単な説明】
【００６８】
【図１】本実施形態における情報配信システム１００について示した図である。
【図２】路側無線装置２０及び路側エリアＺについて示した図である。
【図３】車載器１０の一構成例を示すブロック図である。
【図４】静的情報のフォーマットの一例について示した図である。
【図５】動的情報のフォーマットの一例について示した図である。
【図６】アップリンク情報のフォーマットの一例について示した図である。
【図７】センター装置３０の一構成例を示すブロック図である。
【図８】コンテンツ情報のフォーマットの一例について示した図である。
【図９】コンテンツ情報に含まれる対象地点情報について詳述した図である。
【図１０】本実施形態に係るセンター装置３０内で行われるコンテンツ配信処理の一例について示したフローチャートである。
【図１１】本実施形態に係る車載器１０内で行われる駐車場情報選択処理の一例について示したフローチャートである。
【図１２】駐車場情報を受信した旨をポップアップ表示させた画面の一例について示した図である。
【図１３】駐車場情報を受信した旨を音声メッセージにより通知した一例について示した図である。
【図１４】受信した駐車場情報を表示させた画面の一例について示した図である。
【図１５】詳細情報（割引情報あり）を表示させた画面の一例について示した図である。
【図１６】詳細情報（割引情報なし）を表示させた画面の一例について示した図である。
【図１７】割引情報を考慮して駐車場情報を表示させた画面の一例について示した図である。
【符号の説明】
【００６９】
１００  情報配信システム
１０  車載器
１  カーナビ部
１ａ  カーナビ制御部
１ｂ  現在地検出部
１ｃ  地図記憶部
１ｄ  操作部
１ｅ  表示部
１ｆ  記憶部
１ｇ  音声出力部
２  ＶＩＣＳモジュール
３  ＤＳＲＣ部
３ａ  ＤＳＲＣ制御部
３ｂ  ＤＳＲＣ通信部
３ｃ  記憶部
３ｄ  ＥＴＣ／ＤＳＲＣ処理部
３ｅ  ＩＣカードＩ／Ｆ部
４  制御部
５  無線通信部
２０  路側無線装置
２１  本体装置
２２  アンテナ
３０  センター装置
３１  制御部
３２  操作部
３３  表示部
３４  記憶部
３５  通信部
４０Ａ  駐車場データベース
４０Ｂ  割引情報データベース
【図１】
2010152786.tif 000003
【図２】
2010152786.tif 000004
【図３】
2010152786.tif 000005
【図４】
2010152786.tif 000006
【図５】
2010152786.tif 000007
【図６】
2010152786.tif 000008
【図７】
2010152786.tif 000009
【図８】
2010152786.tif 000010
【図９】
2010152786.tif 000011
【図１０】
2010152786.tif 000012
【図１１】
2010152786.tif 000013
【図１２】
2010152786.tif 000014
【図１３】
2010152786.tif 000015
【図１４】
2010152786.tif 000016
【図１５】
2010152786.tif 000017
【図１６】
2010152786.tif 000018
【図１７】
2010152786.tif 000019